(57)【要約】      （修正有）【課題】作業手間を減らすための風穴用円筒とその型枠とトラス配筋の基礎立上部の二段床下換気工法を提供する。【解決手段】風穴用円筒に係止具を係止し、該係止具を配筋に係止して生コン投入後に係止具を抜き取って風穴用円筒型枠１を外せる円筒型枠の設定に好都合で強度の優れた傾斜配筋１２である。【選択図】図４
2010090684.tif 000002
【特許請求の範囲】
【請求項１】
立上部の主要部の配筋が少なくとも上下の水平筋と、該上下の水平筋に傾斜して結合される傾斜支持筋とから構成される布基礎。
【請求項２】
立上部の主要部の配筋が少なくとも上下の水平筋と、該上下の水平筋に、中央部で所定角に屈曲せしめてある屈曲筋の端部相互を近接あるいは接合して一方の水平筋に溶着せしめるとともに屈曲部を他方の水平筋に溶着して構成される立上部から成る布基礎。
【請求項３】
立上部の傾斜支持筋相互又は傾斜支持筋と直立筋間に風穴用円筒または風孔用円筒型枠の多数が、針金状の係止具にループ状の引っ掛け部を形成させる、以外の方法で係止せしめて構成される請求項１又は２に記載の布基礎の主要部の風穴。
【請求項４】
風穴用円筒又は風穴用円筒型枠の多数を、針金状の係止具にループ状の引っ掛け部を形成させる、以外の方法で布基礎立上部に上下の二段に配するる請求項１又は２に記載の布基礎立上部の床下換気工法。
【請求項５】
隣り合う配筋間において、重力で下がる下限で風穴用円筒又は風穴用円筒型枠を、針金状の係止具にループ状の引っ掛け部を形成させる、以外の方法で該配筋に係止して構成される布基礎立ち上げ部。
【発明の詳細な説明】
【技術分野】
【０００１】  本発明は木造建築の布基礎に関する。より詳細には布基礎に設ける立上部の傾斜配筋と風穴用円筒の組合せと二段の風穴による基礎の床下換気工法に関する。
【背景技術】
【０００２】  従来、百年以上の民家では土台の木の下は透け透けで、土台の複数の支柱は礎石上に載せただけだが、風雨にさらされても風通しにより、腐食から逃れていた。
近年、コンクリートの布基礎が利用されるにいたり、初期は過去の大工の経験を生かして風通しに配慮して角形の風窓を多数設定するのが当然とされていた。
しかし、コストダウンの目的で風窓が少なく設定されるにいたり、最近は風窓は省略して、立上部の上面を平面とし、多数の緩衝材を載置して隙間で換気されるとしている。
そのような、手抜き工事の結果、日本の木造建築の耐久性を３０年乃至５０年に縮めていて、昨年には二百年住宅構想が政府から打ち出されたが最も重要な床下換気については、木造建築の布基礎の部分の技術の革新の提案が全くみられない。
更に、該布基礎の緩衝材の劣化は早いから、百年以内に家屋の不等沈下が問題を生む可能性があるし、箱型風穴は手数がかかるので、コスト面で利用されなくなっているなどの問題がある。
【発明の開示】
【発明が解決しようとする課題】
【０００３】  本発明は布基礎の立上部に▲１▼コストの安い、▲２▼換気に優れた風窓構造を、▲３▼断面円形の円筒風穴を上下二段に配して、▲４▼風穴用円筒に係止具を設けて配筋に取り付け簡単とし、▲５▼円筒型枠を取り外し簡単とし、▲６▼立上部の配筋を傾斜せしめてて使用鉄筋を節約するとともに強度を大とし、▲７▼円筒を傾斜配筋の間に安定的に設定することである。
【課題を解決するための手段】
【０００４】本発明は、
請求項１においては、立上部の主要部の配筋が少なくとも上下の水平筋と、該上下の水平筋に傾斜して結合される傾斜支持筋とから構成される布基礎立上部であり、
請求項２は立上部の主要部の配筋が少なくとも上下の水平筋と、該上下の水平筋に、中央部で所定角に屈曲せしめてある屈曲筋の端部相互を近接あるいは接合して一方の水平筋に溶着せしめるとともに屈曲部を他方の水平筋に溶着して構成される立上部から成る布基礎であり、
請求項３は立上部の傾斜支持筋相互又は傾斜支持筋と直立筋間に風穴用円筒又は風穴用円筒型枠の多数を、針金状の係止具にループ状の引っ掛け部を形成させる以外の方法で係止せしめて構成される請求項１又は２に記載の布基礎立上部の風穴構成法であり、
請求項４は風穴用円筒又は風穴用円筒型枠の多数を、針金状の係止具にループ状の引っ掛け部を形成させる、以外の方法で布基礎立上部に上下の二段に配する請求項１又は２に記載の布基礎の風穴構成法による床下換気工法であり
請求項５は隣り合う配筋間において、重力で下がる下限で風穴用円筒又は風穴用円筒型枠を、針金状の係止具にループ状の引っ掛け部を形成させる、以外の方法で該配筋に係止して構成させる立上部から成る布基礎工法であり、
【発明の効果】
【０００５】  コンクリートの基礎を木造建築に利用しはじめた初期は伝統的な床下透け透け時代の棟梁の経験で、箱型の大きな風窓が多く設けてあったが、近年は廃止の傾向にある。本願は
Ａ  風穴用円筒型枠は樹脂パイプの所定寸法切断で簡単に利用可能とし、
Ｂ  はめ殺しの風穴用円筒も型枠と同様に所定寸法切断で利用可能とするとともに
Ｃ  円盤状の換気蓋は安価に製造可能、
Ｄ  外径縮小型枠は抜き取り簡単、
Ｅ  上下の風穴二段配置は換気が優れている、
Ｆ  傾斜支持筋により円筒は仮留め設定が正確で簡単、
Ｇ  夏は大地の冷気が床下面に吹き付けて室内を涼しくし、冬は大地の１０度以上の温度で床下面を暖めるので寒さが和らげられる効果があり、底冷えせず住心地がよい。
【発明を実施するための最良の形態】
【０００６】  風穴用円筒は土管のはめ殺しでもよいが、コストに配慮して風穴用円筒型枠を反復再利用可能の素材の利用では市販の樹脂性のロングパイプも利用できる。抜き取りを容易にするのに外面に油性の液体を吹き付けて係止するのが望ましい。係止具は焼鈍した針金が利用できる。ループに引っ掛けてこじて引き抜けるようにループを作る方法があるものの、その方法以外でも配筋に係止させればよく、例えば外周にリング状にめぐらせて配筋に固定すればよいし、また、２孔を近付けて穿孔し、外部の配筋にからめた両端を各１本づつ挿入して内部で結束し、又は内部から逆に外部に挿しとおして配筋に結束できるし、針金状でなくて、クリップを外周に固定しておく等、図示しないが多種の手段が考えられのは明白である。
外周壁縮小円筒を個別に生産して容易に引き抜けるようにもできる。
立上部の配筋は上下の水平筋に傾斜せしめた鉄筋の多数を所定間隔で図のように所定の長さの鉄筋を中央部で所定角に屈曲せしめて配筋すれば溶接箇所が少なくなり省力化できる。大きな強度の必要な場合に中央部に水平筋を追加するのが望ましい。直立筋を加えて垂直の圧縮強度を大にできる。
これらを一実施例より図面により詳述すると、
【実施例１】
【０００７】  図１、２において、従来の基礎の立ち上げ部分の配筋は四角形を構成する組み立てで交差部分は溶着又は焼き鈍した針金で結束して図１のように捨てコンの上に逆Ｔの字形に組むもので、風穴用円筒を設定するための配筋との結束が不安定であった（図２）。
傾斜せしめた配筋なら係止具の二股部分２をねじるだけで安定させやすい（図３）。
図３〜図５においても重心のバランスがよくて全体の配筋の型枠を組みやすく円筒が安定して係止できる。図５において、係止具５の二股部分２が周壁外に係止孔４より突出していて配筋に結合するのが簡単で、係止具５を拡大したもので、係止具５は平板部３で円筒型枠１の内壁に密着するが、その位置で留められる（図７）。そして重量的にもバランスよく傾斜筋間に仮留めできる（図８）。
円筒は直立筋と傾斜筋又は傾斜筋と傾斜筋の間では、重力で限界迄さげるか、または吊り上げて上の限界で係止すると生コン投入の際に位置がずれないで、安定している。
従って、図５構成の円筒型枠は平板を抜き取って回収して再利用できる。設定前に円筒型枠１の外周に滑りの良い液体を散布或いは、塗布すれば、抜き取る作業が楽である。
【実施例２】  図６においては水平筋を中間に配して強度を大とし、部分的切除に便利な立上部の構成である。
【実施例３】  図７において、傾斜筋間に直立筋を加えて垂直の圧縮強度が大にできるし部分的切断除去後の周囲の配筋設定に比較的好都合である。
尚、本発明は上記例で限定されるものではない。
【産業上の利用可能性】
【０００８】  本発明では基礎構造として、床下が透け透けになり換気性がよくなるため、木造建築物の下部の耐久性を飛躍的に高める事ができ、古来の二百年以上の日本の民家の長寿命にせまれる。従って木材を節約し、森林保護に直結する。森林保護により、沿岸漁業の振興にもつながり、環境保護に貢献する技術である。
【図面の簡単な説明】
【０００９】  各図は何れも縮小概略図で、
【図１】は従来の基礎配筋全体の斜視図、
【図２】は図１の立上部の配筋に風穴用円筒をループ作成結束線で取付けた正面略図、
【図３】は曲げ傾斜筋に風穴用円筒をループ作成結束線で係止した立上部の正面図、
【図４】は曲げ傾斜配筋に風穴用円筒を平板部で仮留めした正面図、
【図５】は平板部と結束線で傾斜配筋に係止した円筒風穴枠の部分図、
【図６】は周壁の近接２孔に配筋に絡めた結束線の両端を円筒の２孔に挿入して結束せしめた風穴用円筒配置の正面図、
【図７】は直立筋を加えた強化配筋による立上部、
【図８】は完成布基礎の部分図であり、配筋は布基礎のコンクリート内である。
【符号の説明】
１、風穴用円筒型枠
２  結束線の二股部
３  ループ状引っ掛け部
４  平板式係止具の二股部
５  平板部
７  結合具
８  溶着
９  水平筋
１１  四角配筋
１２  傾斜配筋
１３  屈曲傾斜配筋
１４  底配筋
１５  立上部の配筋
１６  直立筋
１７  立上部
【図１】
2010090684.tif 000003
【図２】
2010090684.tif 000004
【図３】
2010090684.tif 000005
【図４】
2010090684.tif 000006
【図５】
2010090684.tif 000007
【図６】
2010090684.tif 000008
【図７】
2010090684.tif 000009
【図８】
2010090684.tif 000010
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
立上部の主要部の配筋が少なくとも上下の水平筋と、該上下の水平筋に、中央部で所定角に屈曲せしめてある屈曲筋の端部相互を近接あるいは接合して一方の水平筋に溶着せしめるとともに屈曲部を他方の水平筋に溶着して構成される立上部から成る布基礎。
【請求項２】
水平筋を中間に配した請求項１に記載の布基礎。
【手続補正２】
【補正対象書類名】明細書
【補正対象項目名】０００４
【補正方法】変更
【補正の内容】
【０００４】
本発明は、請求項１は立上部の主要部の配筋が少なくとも上下の水平筋と、該上下の水平筋に、中央部で所定角に屈曲せしめてある屈曲筋の端部相互を近接あるいは接合して一方の水平筋に溶着せしめるとともに屈曲部を他方の水平筋に溶着して構成される立上部から成る布基礎である。
請求項２は水平筋を中間に配した請求項１に記載の布基礎である。